(57)【要約】      （修正有）【課題】医師の撮影指示の元に被写体である撮影対象患者を撮影する際に、撮影者の負担を軽減する。【解決手段】被写体の撮影部位を指定する撮影指示を受け付ける撮影指示取得手段と、前記撮影指示を被写体を示す図上に画面に表示する手段と、表示画面に撮影指示を表示した状態で撮影命令を受け付ける手段を備える。被写体は人体であり、前記撮影指示表示手段は、撮影装置の表示画面に人体図を表示し、撮影指示部位を人体図上に表示する。撮影指示表示手段は、撮影部位、撮影枚数、撮影角度、撮影体位のいずれかまたは全てを含む撮影指示を表示する。【選択図】図４
2014123882.tif 000002
【特許請求の範囲】
【請求項１】
被写体の撮影部位を指定する撮影指示を取得する撮影指示取得手段と、
前記撮影指示を被写体を示す図上に表示する撮影指示表示手段と、
前記表示画面に撮影指示を表示した状態で撮影命令を受け付ける手段を備えた撮影装置。
【請求項２】
前記被写体は人体であり、前記撮影指示表示手段は、撮影装置の表示画面に人体図を表示し、撮影指示部位を人体図上に表示することを特徴とする請求項１記載の撮影装置、
【請求項３】
前記撮影指示表示手段は、撮影部位、撮影枚数、撮影角度、撮影体位のいずれかまたは全てを含む撮影指示を表示することを特徴とする請求項２記載の撮影装置。
【請求項４】
撮影装置を含む撮影処理システムであって、
被写体の撮影部位を含む撮影指示を入力する手段と、
前記撮影指示を撮影装置に送信する手段と、
前記撮影装置の表示手段に表示された人体図上の撮影指示部位を選択する手段と、前記撮影部位選択手段により選択された撮影部位情報を撮影画像に関連付けて記録する手段とを備えたことを特徴とする撮影処理システム
【請求項５】
前記撮影入力手段により入力された撮影部位を含む部分人体図を選択する手段を更に備え、前記部分人体図選択手段は、前記撮影指示に含まれる撮影部位を含み、かつ最も細部を表示可能な部分人体図を自動選択することを特徴とする請求項４記載の撮影処理システム。
【請求項６】
被写体を撮影する撮影装置を含む撮影処理システムにおける撮影処理方法をコンピュータに実行させるためのプログラムであって、被写体の撮影部位を含む撮影指示を入力するステップと、前記撮影指示を撮影装置に送信するステップと、前記撮影装置の表示手段に表示された人体図上の撮影指示部位を選択するステップと、をコンピュータに実行させるためのプログラム。
【請求項７】
請求項６に記載のプログラムを記憶したことを特徴とするコンピュータ読み取り可能な記憶媒体。
【発明の詳細な説明】
【技術分野】
【０００１】
本発明は、撮影装置及び撮影方法に関する。
【背景技術】
【０００２】
近年、病院などの医療機関において情報化が進み、患者の診断情報を管理する電子カルテを導入する機関が増えている。電子カルテ上には、患者の診断履歴、投薬情報、手術情報、患部画像、Ｘ線画像などが一元管理され、データの共有や再利用が簡単にできるようになってきている。また、近年のストレージの大容量化によって、患部などのデジタル画像を大量に撮影して電子カルテに格納できるようになった。
【０００３】
このような環境の中で、デジタルカメラを利用して患者を撮影し、撮影した画像を診療の記録として電子カルテに格納するような利用法が頻繁に行われている。特に皮膚科や外科、介護の現場では、患者の傷口や手術痕、褥瘡（床ずれ）を定期的にデジタルカメラで撮影し、患部の経時変化を観察することが行われている。
【０００４】
このようなデジタルカメラの利用シーンでは、必ずしも診察した医師が撮影するとは限らない。医師の指示の元に院内の撮影スタッフ、看護師、或いは院外の訪問看護師などが撮影する場合がある。この場合、医師が対象患者の名前、ＩＤ等の基本情報に加え、撮影部位、枚数等の撮影指示を発行し、撮影者が医師の指示を確認しながら撮影する必要がある。
【０００５】
このような利用シーンに対し、特許文献１では、医師の撮影オーダ発行の際に患者の３次元画像を画面に表示し、医師が画像上の撮影部位を直接指定することにより簡単にオーダが発行される患者部位指定入力方法が提案されている。
【先行技術文献】
【特許文献】
【０００６】
【特許文献１】特開２００１−６０２３９号公報
【発明の概要】
【発明が解決しようとする課題】
【０００７】
しかしながら、上記特許文献１においては、医師の撮影オーダ発行のみ言及しており、撮影者が撮影オーダを確認しながらどのように撮影するのかについて言及されていない。
【課題を解決するための手段】
【０００８】
上記の問題を解決するために、本発明は、被写体の撮影部位を指定する撮影指示を受け付ける撮影指示取得手段と、画面上の被写体を示す図上に前記撮影指示を表示する手段と、表示画面に撮影指示を表示した状態で撮影命令を受け付ける手段を備える。
【０００９】
また、本発明は、上述した撮影処理システムにおける撮影処理方法、及び、当該における撮影処理方法をコンピュータに実行させるためのプログラム、並びに、当該プログラムを記憶するコンピュータ読み取り可能な記憶媒体を含む。
【発明の効果】
【００１０】
本発明によれば、医師の撮影指示の元に被写体である撮影対象患者を撮影する際に、撮影者の負担を軽減することができる。
【図面の簡単な説明】
【００１１】
【図１】本発明の第１の実施形態に係る撮影処理システムの概略構成の一例を示す模式図である。
【図２】本発明の第１の実施形態に係る撮影処理システムにおける撮影処理方法の処理手順の一例を示すフローチャートである。
【図３】本発明の第１の実施形態を示し、医師が入力する撮影指示の一例を示す模式図である。
【図４】図２のステップＳ２０２における撮影処理の詳細な処理手順の一例を示すフローチャートである。
【図５】本発明の第１の実施形態を示し、撮影指示を表示する人体図の一例を示す模式図である。
【図６】本発明の第１の実施形態を示し、人体図と表示可能な撮影部位との関係を表すテーブルを示す模式図である。
【図７】本発明の第１の実施形態を示し、図４のステップＳ４０２における参照図選択処理の詳細を示すフローチャートである。
【図８】図４のステップＳ４０３における全撮影指示を表示するユーザインタフェースの一例を示す模式図である。
【図９】図４のステップＳ４０４における撮影指示を表示するユーザインタフェースの一例を示す模式図である。
【図１０】図４のステップＳ４０４における撮影指示を表示するユーザインタフェースの一例を示す模式図である。
【発明を実施するための形態】
【００１２】
以下に、図面を参照しながら、本発明を実施するための形態（実施形態）について説明する。
【００１３】
（第一の実施形態）
本実施形態は、医師の撮影指示に基づき、訪問看護師や介護士等の撮影者が撮影装置であるデジタルカメラを用いて、被写体である撮影対象患者を撮影する場合を想定した形態である。
【００１４】
＜撮影処理システムの構成＞
図１は、本発明の第１の実施形態に係る撮影処理システムの概略構成の一例を示す模式図である。
【００１５】
本実施形態に係る撮影処理システム１００は、図１に示すように、クライアント装置１１０、画像管理サーバ装置１２０、撮影装置１３０、ネットワーク１４０、及び、無線ネットワーク１５０を有して構成されている。
【００１６】
ここで、クライアント装置１１０と画像管理サーバ装置１２０とは、ネットワーク１４０を通じて通信接続されている。また、画像管理サーバ装置１２０と撮影装置１３０とは、無線ネットワーク１５０を通じて無線通信接続されている。
【００１７】
クライアント装置１１０は、医師が利用する装置である。このクライアント装置１１０は、撮影指示入力部１１１、及び、画像表示部１１２を有して構成されている。撮影指示入力部１１１は、医師が撮影オーダ（撮影指示）を発行（入力）するための入力手段である。画像表示部１１２は、医師が撮影画像を閲覧するために撮影画像を表示する表示手段である。
【００１８】
画像管理サーバ装置１２０は、撮影画像を管理する装置である。この画像管理サーバ装置１２０は、撮影指示格納部１２１、及び、画像格納部１２２を有して構成されている。撮影指示格納部１２１は、クライアント装置１１０（撮影指示入力部１１１）に入力された撮影指示を格納する格納手段である。画像格納部１２２は、撮影装置１３０の撮影部１３４で撮影された撮影画像を格納する格納手段である。
【００１９】
撮影装置１３０は、被写体である撮影対象患者を撮影するカメラ（具体的には汎用デジタルカメラ）である。この撮影装置１３０は、記憶部１３１、入力部１３２、撮影指示並び換え部１３３、撮影部１３４、表示部１３５、及び、画像格納制御部１３６を有して構成されている。記憶部１３１は、各種の情報や各種のデータ、各種のテーブル等を記憶する記憶手段である。入力部１３２は、撮影者が各種の情報や各種の指示等を入力するための入力手段である。撮影指示並び換え部１３３は、撮影指示入力部１１１に入力された撮影指示（撮影指示格納部１２１に格納されている撮影指示）の並び換えを行う手段である。撮影部１３４は、レンズ等の光学系を通した被写体の光学像を電子的な画像に変換する撮像センサを備える撮影手段である。表示部１３５は、撮影部１３４の撮像センサから得られるライブビュー画像及び撮影画像を表示する液晶表示画面を備える表示手段である。画像格納制御部１３６は、撮影指示入力部１１１に入力された撮影指示（撮影指示格納部１２１に格納されている撮影指示）の順序に従って、撮影部１３４で撮影された撮影画像を画像格納部１２２に格納する制御を行う制御手段である。
【００２０】
ネットワーク１４０は、クライアント装置１１０と画像管理サーバ装置１２０とを通信接続する通信網である。
【００２１】
無線ネットワーク１５０は、画像管理サーバ装置１２０と撮影装置１３０とを無線通信接続する通信網である。
【００２２】
＜撮影処理方法の処理手順＞
図２は、本発明の第１の実施形態に係る撮影処理システムにおける撮影処理方法の処理手順の一例を示すフローチャートである。
【００２３】
医師がクライアント装置１１０の撮影指示入力部１１１に対して撮影指示を入力すると、ステップＳ２０１において、クライアント装置１１０は、当該入力された撮影指示を受け付ける。例えば、医師は入力部１１１により撮影部位を入力する。すなわち、撮影指示入力部１１１は被写体の撮影部位を含む撮影指示を入力する手段の一例に相当する。
【００２４】
撮影指示を受け付けた後、クライアント装置１１０は、当該撮影指示を、ネットワーク１４０を通して画像管理サーバ装置１２０に送信し、画像管理サーバ装置１２０は、受信した撮影指示を撮影指示格納部１２１に格納する。すなわち、クライアント装置１１０に備えられた送信部は撮影指示を撮影装置に送信する手段の一例に相当する。
【００２５】
ここで、医師が入力する撮影指示の一例について図３を用いて後述する。
【００２６】
続いて、ステップＳ２０２において、撮影装置１３０は、まず、無線ネットワーク１５０を通して画像管理サーバ装置１２０の撮影指示格納部１２１から撮影指示を読み込む（ロードする）。例えば、撮影装置１３０が備えるプロセッサ等により撮影指示を読み込む。または、撮影装置１３０は画像管理サーバ装置１２０により送信された撮影指示を、撮影装置１３０が備えるインターフェース部で受信することによって撮影指示を取得する。すなわち、撮影装置１３０の備えるプロセッサまたはインターフェース部は被写体の撮影部位を指定する撮影指示を取得する撮影指示取得手段の一例に相当する。
【００２７】
撮影指示を取得後、撮影装置１３０は、撮影指示の並び換えを行った後、当該並び換えを行った撮影指示を表示部１３５に表示する。その後、撮影者が表示部１３５に表示された撮影指示に従って撮影を行うと、撮影装置１３０は、撮影対象患者の撮影処理を行う。そして、撮影装置１３０は、撮影処理により得た撮影対象患者の撮影画像を、無線ネットワーク１５０を介して画像管理サーバ装置１２０に送信し、画像格納部１２２に格納させる。このステップＳ２０２の詳細な処理手順については、図４を用いて後述する。
【００２８】
続いて、ステップＳ２０３において、クライアント装置１１０は、画像管理サーバ装置１２０の画像格納部１２２に格納されている撮影画像を医師が閲覧できるように当該撮影画像を画像表示部１１２に表示する処理を行う。この際、画像表示部１１２には、医師が撮影指示した順序で撮影画像が表示され閲覧することができる。本ステップでは、クライアント装置１１０は、ネットワーク１４０を介して画像管理サーバ装置１２０の画像格納部１２２にある撮影画像を画像表示部１１２に閲覧可能に表示する。
【００２９】
ステップＳ２０３の処理が終了すると、図２のフローチャートの処理が終了する。
【００３０】
図３は、本発明の第１の実施形態を示し、医師が入力する撮影指示の一例を示す模式図である。
【００３１】
撮影指示３００には、図３に示すように、患者名、患者ＩＤ、年齢、性別等の撮影対象患者の患者基本情報と、指示医名、撮影方法、撮影部位（撮影患部）、注意事項等の撮影情報が含まれる。図３に示す例では、単純に撮影部位を複数列挙しているが、各撮影部位に対して撮影枚数や撮影角度、撮影理由、注意事項等を詳細に設定するようにしてもよい。
【００３２】
＜撮影処理＞
図４は、図２のステップＳ２０２における撮影処理の詳細な処理手順の一例を示すフローチャートである。
【００３３】
まず、ステップＳ４０１において、撮影装置１３０は、無線ネットワーク１５０を通して画像管理サーバ装置１２０から撮影指示格納部１２１に格納されている撮影指示を、例えば記憶部１３１にロードする。ここで、画像管理サーバ装置１２０と撮影装置１３０とは、Ｂｌｕｅｔｏｏｔｈ（登録商標）に代表される短距離無線通信や赤外線通信等の無線ネットワーク１５０で接続されている。
【００３４】
次に、ステップＳ４０２において、撮影装置１３０は、記憶部１３１に格納されているシェーマ（人体部分図）の中からステップＳ４０１でロードした撮影指示部位を含むシェーマを選択する。すなわち、撮影装置１３０の備えるプロセッサは撮影入力手段により入力された撮影部位を含む部分人体図を選択する手段の一例に相当する。
本ステップの目的は、撮影時に撮影指示を重畳して参照する最適なシェーマを自動選択するものであり、詳細は図５から図７において後述する。なお、本実施例では本ステップのシェーマ選択を撮影装置１３０上で行うとしているが、画像管理サーバ１２０上で処理をおこない、選択されたシェーマをステップＳ４０１の撮影指示の一部としてロードしてもよい。
【００３５】
続いて、ステップＳ４０３において、撮影装置１３０は、表示部１３５に、撮影すべき撮影指示部位を表示する。すなわち、撮影装置１３０が備える表示制御部は表示部１３５に撮影すべき撮影指示部位を表示させる。ここでは、例えば後述する図８のように、ステップＳ４０２で取得したシェーマ上に医師が指示した全ての撮影指示部位を重畳して表示する。
【００３６】
続いて、撮影者がステップＳ４０２で表示された撮影部位から１つの撮影部位を選択すると、ステップＳ４０４において、撮影装置１３０は、表示部１３５に選択した撮影部位の撮影指示を表示する。なお、撮影部位の選択は表示部１３５がタッチパネル機能を有している場合はタッチパネルを用いて選択してもよいし、撮影装置１３０に備えられた他の操作部（ボタン等）により選択してもよい。撮影装置１３０が備えるプロセッサは医師等による撮影部位の入力を受け付け撮影指示部位を選択する。
すなわち、撮影装置１３０が備えるプロセッサは撮影装置の表示手段に表示された人体図上の撮影指示部位を選択する手段する手段の一例に相当する。
【００３７】
ここでは、例えば後述する図９のように、撮影装置１３０のファインダから覗いたライブビュー画像に重畳して撮影指示を表示する。すなわち、表示部１３５は撮影指示を被写体を示す図上に表示する撮影指示表示手段の一例に相当する。具体的には、表示部１３５は撮影指示部位を人体図上に表示する撮影指示表示手段の一例に相当する。
【００３８】
続いて、撮影者が撮影ボタンを押下すると、ステップＳ４０５において、撮影装置１０３の撮影部１３４は、レンズから取り込んだ被写体（撮影対象患者）の光学像を電子的な画像に変換して撮影画像を得る撮影処理を行う。ここで、撮影ボタンは表示画面に撮影指示を表示した状態で撮影命令を受け付ける手段の一例に相当する。
【００３９】
続いて、ステップＳ４０６において、撮影装置１３０（例えば撮影部１３４）は、ステップＳ４０５の撮影処理で得られた撮影画像に対し、撮影情報をメタデータとして付与する。本ステップで付与する撮影情報としては、撮影日時や撮影場所のような撮影時に得られる情報に加えて、撮影対象患者の患者基本情報や撮影部位等の撮影指示から得られる情報である。撮影画像に撮影情報を付与することで、例えば、後日「右肘頭」のようなキーワードで撮影部位を指定して撮影画像を検索することができる。すなわち、撮影装置１３０が備えるプロセッサは撮影部位選択手段により選択された撮影部位情報を撮影画像に関連付けて記録する。
【００４０】
続いて、ステップＳ４０７において、撮影装置１３０は、全ての撮影指示に対して撮影を終了したか否かを判断する。
【００４１】
ステップＳ４０７の判断の結果、全ての撮影指示に対しては未だ撮影を終了していない場合には、ステップＳ４０３に戻り、撮影すべき撮影部位の撮影指示を表示して、ステップＳ４０３以降の処理を再度行う。
【００４２】
一方、ステップＳ４０７の判断の結果、全ての撮影指示に対して撮影を終了した場合には、ステップＳ４０８に進む。
【００４３】
ステップＳ４０８に進むと、撮影装置１３０の画像格納制御部１３６は、ステップＳ４０５の撮影処理で得られた撮影画像を、撮影者による撮影順ではなく、図３の撮影指示における撮影部位の指示順で、画像管理サーバ装置１２０の画像格納部１２２に格納する。
【００４４】
ステップＳ４０８の処理が終了すると、図４のフローチャートの処理が終了する。
【００４５】
図５乃至図７は、本発明の第１の実施形態を示し、図４のステップＳ４０２における参照図選択処理に使用する模式図及びフローチャートである。
【００４６】
図５は、図４のステップＳ４０２において選択する候補となる参照図を示す模式図である。
【００４７】
図５において、撮影装置１３０には、複数のシェーマと呼ばれる部分人体図を保持している。シェーマには、５０１や５０２のように「全身」「頭部」のような人体上の表示範囲を示す分類名が付与されており、それぞれの分類が人体を正面から見たシェーマと背後から見たシェーマを保持している。ここでは、説明のため「全身」と「頭部」だけを示しているが、その他にも「右前腕」「右手掌」などの、想定される撮影シーンに応じて必要な部分人体図を予め用意しておく。
【００４８】
図６は、図４のステップＳ４０２における参照図選択処理に使用するテーブルを示す模式図である。この図６に示すテーブルは、例えば、撮影装置１３０の記憶部１３１に記憶されている。
【００４９】
シェーマ分類６０１は、図５の５０１及び５０２で示した人体上の表示範囲を示す分類名を表す。６０１の分類それぞれについて、人体の正面から見たシェーマと、背後から見たシェーマが６０３に格納される。
【００５０】
要素６０５は、シェーマ６０３に含まれる各シェーマに表示する人体上の部位名を格納する。なお、この要素６０５に格納される部位は、必ずしも正確に人体構造上表示可能でなくてもよい。例えば、６０３のシェーマ名「全身前面」に含まれる要素「右肘頭」は正確には「全身背面」に含まれるべきであるが、撮影時には図８のように、人体の正面から肘を曲げて撮影することになるため、撮影者に対する表示のわかりやすさを優先して「全身前面」に配置している。
【００５１】
要素数６０４は、各シェーマ名６０３に含まれる要素６０５の数であり、要素数６０２は、各分類６０１に含まれる要素６０５の数である。これらは図４のステップＳ４０２参照図選択のための計算に使用する。
【００５２】
図７は、本発明の第１の実施形態を示し、図４のステップＳ４０２における参照図選択処理の詳細を示すフローチャートである。
【００５３】
まず、ステップＳ７０１において、全ての撮影部位を含むシェーマを検索する。
【００５４】
続いて、ステップＳ７０２において、全ての撮影指示部位を含むシェーマがあるか否かを判断する。
【００５５】
ステップＳ７０２の判断の結果、全ての撮影指示部位を含むシェーマがあった場合には、ステップＳ７０６に進む。一方、ステップＳ７０２の判断の結果、全ての撮影指示部位を含むシェーマが存在しなかった場合は、ステップＳ７０３に進む。
【００５６】
ステップＳ７０３に進むと、全ての撮影部位を含む分類を取得する。ステップＳ７０２で全ての撮影指示部位を含むシェーマが存在しないと判断されたということは、人体の前面だけ、或いは背面だけのシェーマでは全ての指示を表示できないことを意味する。例えば、具体的に、図３の撮影指示｛右肘頭、左肘頭、右殿部、左膝蓋｝について、図６の要素６０５を検索すると、右殿部は人体の背面を示すシェーマにしか存在せず、左膝蓋は人体の前面を示すシェーマにしか存在しないため、全ての撮影部位を含むシェーマは存在しない。したがって、前面、背面のシェーマのペアを持つシェーマ分類に対して検索範囲を広げる。
【００５７】
ステップＳ７０４において、ステップＳ７０３で取得した分類が複数あった場合、図６の要素数６０２を参照して最も小さい要素数を持つ分類６０１を取得する。これは、全ての指示を表示することができる最小の部分人体図を取得することを意味する。図３の撮影指示では、｛右肘頭、左肘頭、右殿部、左膝蓋｝の全てを含む分類は「全身」しか存在しないため、「全身」の分類を取得する。
【００５８】
続いて、ステップＳ７０５において、ステップＳ７０４で取得した分類に含まれるシェーマを参照図として取得する。図３の撮影指示の例では、「全身前面」と「全身背面」を取得する。
【００５９】
ステップＳ７０５の処理が終了すると、図７のフローチャートの処理が終了する。
【００６０】
次に、ステップＳ７０６は、ステップＳ７０２の判断の結果、全ての撮影指示部位を含むシェーマがあった場合に、そのシェーマを取得する。例えば、撮影指示が｛前頭部、右頬｝であった場合、図６の要素６０５を検索して、全ての撮影指示部位を含むシェーマ「全身前面」及び「頭部前面」を取得する。
【００６１】
次に、ステップＳ７０７において、ステップＳ７０６で取得したシェーマから、図６の要素数６０４が最も小さいシェーマを取得する。ステップＳ７０６で取得したシェーマ「全身前面」と「頭部前面」について要素数６０４を比較して、要素数６０４が小さいシェーマ「頭部前面」を取得する。
【００６２】
ステップＳ７０７の処理が終了すると、図７のフローチャートの処理が終了する。
【００６３】
このような処理により、撮影指示部位を全て含み、かつ最も細部を表示可能な部分人体図を参照図として取得する。すなわち、撮影装置１３０が備えるプロセッサは部分人体図選択手段は、撮影指示に含まれる撮影部位を含み、かつ最も細部を表示可能な部分人体図を自動選択する手段の一例に相当する。
【００６４】
図８は、図４のステップＳ４０３における全撮影指示を表示するユーザインタフェースの一例を示す模式図である。
【００６５】
図８において、汎用デジタルカメラである撮影装置１３０には、液晶表示画面８０１や、撮影ボタン８０２が設けられている。液晶表示画面８０１は、タッチパネル操作で入力が可能となっている。
【００６６】
液晶表示画面８０１には、以下の８０３乃至８０５の構成が設けられている。
【００６７】
表示領域８０３は、現在の画面が撮影指示部位であることを表示する領域である。
【００６８】
表示領域８０４は、撮影指示を、図７の処理で取得したシェーマ上に図示して表示する領域である。例えば、図３の撮影指示に対し、図７の処理で、シェーマ「全身前面」及び「全身背面」が取得され、参照図として８０４に表示される。
【００６９】
表示領域８０５は、表示領域８０４に表示されたシェーマ上に撮影指示部位を表示する領域である。例えば、撮影装置１３０の記憶部１３１に、複数のシェーマセットと、それぞれのシェーマ上の座標と部位の組み合わせをインデックスとして記憶させておき、撮影指示部位に対応する座標上にマーキングをする。
【００７０】
表示領域８０５上の指示部位名のテキストまたは、マーキング部分をタッチすると、図９に示すような、選択した各部位の撮影画面に移行する。
【００７１】
図９は、図４のステップＳ４０４におけるライブビューを表示するユーザインタフェースの一例を示す模式図である。
【００７２】
図９において、汎用デジタルカメラである撮影装置１３０には、液晶表示画面９０１や撮影ボタン９０２が設けられている。
【００７３】
液晶表示画面９０１は、レンズを通して見える映像をライブビューとして表示しており、タッチパネル操作で入力が可能となっている。
【００７４】
撮影者が撮影ボタン９０２を押下すると、撮影装置１３０は、レンズから取り込んだ被写体（撮影対象患者）の光学像を電子的な画像に変換して撮影画像を得る撮影処理を行う。
【００７５】
液晶表示画面９０１には、以下の９０３乃至５０５の構成が設けられている。
【００７６】
表示領域９０３は、撮影者が次に撮影すべき撮影部位を表示する領域である。図８における８０５から選択した撮影部位が表示される。
【００７７】
表示領域９０４は、表示領域９０３に示された撮影部位に係る撮影指示を図８の８０４に表示されたシェーマ上に図示して表示する領域である。例えば、撮影装置１３０の記憶部１３１に、複数のシェーマセットと、それぞれのシェーマ上の座標と部位の組み合わせをインデックスとして記憶させておき、撮影指示部位に対応する座標上にマーキングをする。なお、表示領域９０３及び９０４は、どちらか一方を表示するようにしてもよい。
【００７８】
表示領域９０５は、全ての撮影指示のうち、現在、何番目の撮影指示の撮影を行っているのかを表示する領域である。
【００７９】
撮影ボタン９０２が押下され、指示された撮影部位が撮影されるたびに撮影済み枚数がカウントアップされる。
【００８０】
なお、本発明は図９に示す例に限定されるものではなく、例えばどのような角度から撮影対象患者を撮影すべきかを示す情報やどのような体位で撮影すべきかを示す情報を表示することとしても良い。これらの情報は文字で示しても良いし、図で示すこととしてもよい。
【００８１】
また、撮影部位を示す情報、撮影枚数を示す情報、撮影角度を示す情報、撮影体位を示す情報は、全て表示することとしも良いし、任意の情報を選択的に表示することとしても良い。すなわち、表示部１３５は、撮影部位、撮影枚数、撮影角度、撮影体位のいずれかまたは全てを含む撮影指示を表示する。
【００８２】
本実施形態によれば、撮影装置１３０による撮影対象患者の撮影に際し、撮影装置上に人体図を表示し、撮影指示を重畳して表示することによって、撮影者が簡単に撮影指示にある撮影部位を漏れなく撮影することができる。
【００８３】
また、図４のステップＳ４０６に示すように、撮影画像に対して撮影部位のメタデータが自動的に付与することにより、撮影画像を確認しながら撮影部位を入力する作業が回避される。また、後日、撮影部位をキーワードとして画像を検索することができる。
【００８４】
（第２の実施形態）
第１の実施形態では、図４のステップＳ４０２参照図取得処理において、人体図を取得し、ステップＳ４０４ライブビュー上に人体図と撮影部位を重畳して表示する場合について説明を行ったが、本実施形態では、主として指示部位の撮影構図の指示に着目し、参照図として過去に撮影された同一部位の画像を取得する。
【００８５】
なお、以下の第２の実施形態の説明では、第１の実施形態と同様の内容については説明を省略し、第１の実施形態の内容と異なる部分について説明を行う。
【００８６】
図１０は、図４のステップＳ４０４におけるライブビューを表示するユーザインタフェースの一例を示す模式図である。
【００８７】
撮影装置１３０及び表示領域１００１、撮影ボタン１００２は、表示領域１００３、表示領域１００５は、それぞれ、図９の９０１、９０２、９０３、９０５と同様である。
【００８８】
表示領域１００４は、撮影指示部位１００３と同様の撮影部位を持つ画像を表示する。表示する画像は、図４のステップＳ４０２参照図取得処理において、画像管理サーバ１２０内の画像格納部１２２を、表示領域１００３に表示された撮影部位をキーワードとして検索し、検索結果から選択してもよいし、例えば訪問看護のように定期的に同一人物を撮影する場合なら、同一患者の前回の撮影における同一部位の画像を表示してもよい。或いは、図２の撮影指示入力２０１において、撮影指示をテキストで入力するのではなく、撮影したい部位と同一部位を撮影した画像を撮影指示として入力してもよい。この場合、指示として選択されていた画像のメタデータから部位名を抽出すれば、以降第１の実施例と同様の処理をすることができる。
【００８９】
本実施形態によれば、撮影装置１３０による撮影対象患者の撮影に際し、撮影装置上に、撮影指示と同一部位の過去に撮影した画像を表示しすることによって、撮影者が簡単に撮影指示にある撮影部位を撮影すべき構図を参照しながら漏れなく撮影することができる。
【００９０】
（その他の実施形態）
なお、本発明は上記の実施例に限定されるものではない。例えば、撮影装置１３０において行っていた処理の一部をクライアント装置１１０により行うこととしてもよい。
【００９１】
また、本発明は、以下の処理を実行することによっても実現される。
【００９２】
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００９３】
このプログラム及び当該プログラムを記憶したコンピュータ読み取り可能な記録媒体は、本発明に含まれる。
【符号の説明】
【００９４】
１００  撮影処理システム  
１１０  クライアント装置
１１１  撮影指示入力部
１１２  画像表示部
１２０  画像管理サーバ装置
１２１  撮影指示格納部
１２２  画像格納部
１３０  撮影装置
１３１  記憶部
１３２  入力部
１３３  撮影指示並び換え部
１３４  撮影部
１３５  表示部
１３６  画像格納制御部
１４０  ネットワーク
１５０  無線ネットワーク
【図１】
2014123882.tif 000003
【図２】
2014123882.tif 000004
【図３】
2014123882.tif 000005
【図４】
2014123882.tif 000006
【図５】
2014123882.tif 000007
【図６】
2014123882.tif 000008
【図７】
2014123882.tif 000009
【図８】
2014123882.tif 000010
【図９】
2014123882.tif 000011
【図１０】
2014123882.tif 000012